(57)【要約】      （修正有）【課題】高齢化にともない高齢者が住み慣れた家で過ごす為に安心して過ごせる家庭内のバリアフリーが大きな問題になってきている、特に床の段差の解消、階段の段差の解消、トイレの便座と床の段差、浴槽と床の段差の解消を求められている。【解決手段】昇降機能付き床ユニットの床に介護用手摺を設け事により、昇降時の床と手摺が連動する、又、手摺内に床昇降起動スイッチを設けている為に簡単に使用目的の床の高さが得られる。【選択図】図１
2006274774.tif 000002
【特許請求の範囲】
【請求項１】
昇降機能付き床に取り付けた介護用手摺内に、床昇降駆動装置の起動を促する部材を設け、床、昇降装置の床の昇降と手摺が連動すると共に、手摺高を使用する人の身体、昇降床の使用、用途に適した、最適時の手摺高さを床と介護用手摺間に高さ調整できる部材を設けた介護用手摺としたことを特徴とする特許請求項１の介護用手摺。
【請求項２】
浴槽内で使用する昇降機能機能付き床の浴槽内床と、機能付き床の間に手摺を設け、手摺内周辺一端に浴槽床と浴槽外床の連結部材を設けた事を特徴とする特許請求項１の介護用手摺。
【請求項３】
車輪、キャスター付き昇降する座椅子両端に介護用手摺を設け、歩行補助手押し車とし、手押し歩行補助車の、手を添えて車を押す、介護用手摺としたことを特徴とする特許請求項１の介護用手摺。
【発明の詳細な説明】
【技術分野】
【０００１】  本発明は、トイレ、浴槽、歩行補助手押し車、階段等に設ける手摺に関する。
【背景技術】
【０００２】  年々、高齢化が進み高齢者の方が階段を昇降する際、足腰が衰え、階段に設けて有る手摺を頼りに昇降していた。【０００３】  高齢者の方が足腰の衰え、トイレを使用する際、中腰の緩和のために手摺を頼りにトイレを使用していた。【０００３】  高齢者の方が足腰の衰え入浴する際、浴槽に入るの時、床と浴槽内の段差が有る為に、手摺を使用し段差による障害を手摺で補っていた。【０００４】  高齢者の方が、足腰の衰え、歩行補助手押し車を活用し歩行していた。【０００５】  高齢者の方が足腰の衰え、階段の昇降の際手摺を使用し、両手でかかえるようにし手摺を利用していた。【０００６】  既存の階段は階段幅が広く、階段両脇壁に手摺を設けているが、高齢者用に設けていても、階段幅が広い為、高齢者には昇降時両方の手摺を活用するには、手摺と手摺の幅が広く両方の手摺を活用し昇降するには不向きであった。【０００６】  上記記述したように、高齢者が、住みなれた住まいで生活をおくるためには住まいの段差が大きな障害となってきている。【０００７】  室内の段差の生じる箇所に段差解消の為の、床が昇降する、昇降機能付き床ユニットが存在する。【０００８】  床が昇降する、昇降機能付き床ユニットが存在し、床が昇降し段差を解消出来るが、高齢者が頼りにする、手摺高さが一定の高さで、トイレ、階段等の壁に設置されていた。【０００９】  昇降する床の起動部材のスイッチ、センサー等が階段、トイレ壁に固定された手摺内に設けていた。【００１０】  高齢者の方が足腰の衰え、屋内で用いる座椅子付き歩行補助手押し車等が有る。
【特許文献】特願２００５−６８０８０
【発明の開示】
【発明が解決しようとする課題】
【００１１】  解決しようとする問題点は、床昇降機能作動時に床と、手摺の高さが変動する点、昇降起動を促する部材スイッチ、センサー等が壁に固定された手摺内に存在する点、昇降機能付き床ユニットを使用する人の体の大きさ、床ユニットの使用目的による介護手摺の高さが変える事の出来ない点、屋内で用いる座椅子付き、歩行補助手押し車等が有るが、狭い屋内で使用するには、手押し車の手押し手摺が片方のみにしか存在しない点に有り、又、狭い屋内で使用するには、手押し手摺が片方のみにしか存在しない為、移動する際手押し車を１８０度回転して使用しなければならない等、狭い屋内の使用には、適していなっかった。
【課題を解決しようとする課題】
【００１３】  本発明は、昇降機能付き床ユニット床両端に、介護用手摺を設けている為に床が昇降しても、昇降時手摺が一定の高さが保て、介護用手摺、床間に介護用手摺高を調整出来る調整部材を設けている、屋内で用いる昇降付き座椅子歩行補助手押し車、両端に手押し手摺を設けある為、どの方向にも手押し車を回転しなくても手押し車を使用でき又、浴槽内で使用する昇降機能付き床ユニットに、浴槽外床と浴槽内床を連結する部材を手摺内周辺一端に設けている、介護用手摺に昇降機能稼動装置を促する部材、スイッチ、センサー等が設けている為に昇降床の使用目的の、昇降床の高さを得る事が簡単にできることを最も主要な特徴としている。
【発明の効果】
【００１４】  本発明の、介護用手摺は昇降する床と連動する為、手摺内に床が昇降起動する為のセンサー、スイッチ等が設けて有為、昇降起動を促する部材の操作が容易にでき、希望の床の高さに床を止め固定できる。
【００１５】  上記記述した様に、介護用手摺高さも使用する人の希望する任意の手摺高、昇降する床の使用目的に適した介護用手摺高を得られる。
【００１６】  昇降機能付き床ユニットを浴槽内に使用する時、床ユニットの床を浴槽外部床とし床浴槽内にも床を設け、浴槽外床と浴槽内床に連結部材を設け、連結し床ユニット昇降時、浴槽内床が連動する事により、高齢者が外部床から浴槽内床に移動するだけで入浴できる。
【００１７】  屋内で用いる昇降機能付き座椅子、歩行補助手押し車両端に手押し手摺を設けあり、狭い屋内での、歩行補助手押し車の方向回転操作がしなくてもどの方向にも使用できる等の利点がある。
【発明を実施する為の最良の形態】
【００１８】  昇降機能付き床ユニット床に介護用手摺を設け、床と手摺間に高さ調整部材を設ける事により、使用する人の使用目的の介護手摺高さを得る事ができる。
【００１９】  介護用手摺内に昇降機能装置を稼動促する部材、スイッチ、センサー等を設ける事により昇降機能付き床ユニットの床の使用目的に適した床の高さの操作が手摺内の部材、スイッチセンサー等簡単に出来る。
【００２０】  昇降機能付き座椅子、歩行補助手押し車両端に手押し手摺を設ける事により狭い屋内でも手押し車の方向を変える事無くどの方向のも手押し車を操作できる。
【００２１】  昇降機能付き床ユニットを浴槽で使用する時、床ユニット床と浴槽内床を連結する部材を強靭な部材で連結し床に腰掛、床に乗った状態でも床の昇降に耐えられる部材を用いる事で最小の部品構成で実現した。
【実施例１】
【００２２】  図１は、床昇降機能付き床ユニットに本発明の介護用手摺及び浴槽用床昇降機能付き床ユニットの稼動工程斜視図である。【００２３】  図２は、昇降機能付き床ユニットの床と浴槽内床が連動するする介護用手摺及び連結部材、昇降機能付き床ユニット昇降稼動工程部分拡大図である。【００２４】  図１の、１は本発明の介護用手摺で、昇降機能付き床ユニットの床を外部床６とし浴槽内床を連結する連結部材５で、外部床６と浴槽内床７である。【００２５】  連結部材５は、外部床と浴槽内床の昇降を連動する為の金具であって人が床に乗っても壊れのない強度と錆びに強い材質であればどの様な部材の材質でも良い。【００２６】  図３、浴槽外床を腰掛ける高さに設定し体を洗う為の床を椅子とし活用出来る。【００２７】  図３、浴槽外床を、浴槽上端の高さに介護用手摺内のスイッチの動作で設定すると、浴槽内の床と同じ高さになる為、体を浴槽床に座ったまま移動できる。【００２８】  体を浴槽床に座ったまま介護用手摺内のスイッチの動作により床を降下させ、浴槽内のお湯に浸る事ができる。【００２９】  図４は、介護用手摺内に設けて有る、部材３、スイッチ、センサー４の介護用手摺部分拡大図である。【００３０】  図２、図５の３は昇降機能付き床ユニットの昇降駆動装置の起動を促する部材３である。【００３１】  床昇降機能駆動装置を促する部材３は、床昇降機能．駆動装置を油圧、水圧、空気圧で駆動させる為のバルブスイッチ等の部材としても良い。【００３２】  図２、図５のスイッチ、センサー４は、床昇降機能駆動装置を促するスイッチ、センサー４である。【００３３】  床昇降機能駆動装置を促するスイッチ、センサー４は、タッチセンサー、タッチスイッチ等、高齢者が簡単に床昇降起動をさせる事の出来るスイッチ、センサーであればどの様な部材を用いても良い。【００３４】  図２、図５の調整部材２は、介護用手摺高を調整する高さ調整部材部材２である。【００３５】  介護用手摺用手摺高さ調整部材２は、希望する高さを得る為の調整リング、又は、適度の長さの調整筒を用いても良く、介護用手摺内固定シャフトを介護用手摺下端の締め付けボルト、ナット等の部材を用い固定シャフトに手摺を締め付け、固定し希望の介護用手摺高を得ても良い。【００３６】  図３は、浴槽用昇降する床ユニット  稼動工程実施部分斜視図。【００３７】  上記記述のように、浴槽と床の段差を解消できる為、足腰が高齢の為、衰えた人でも介護人を必要とせずに自立で入浴が出来る。【００３８】  図４は、昇降機能付き床ユニットの床内両端に取り付けて有る、介護用手摺１で介護用手摺内に設けて有る、部材３、スイッチ、センサー４の部分拡大図である。【００３９】  図５は、昇降機能付き床ユニット斜視図である。【００４０】  図５は、昇降機能付き床ユニット斜視図で本発明の介護用手摺を設けた斜視図である。【００４１】  図６は、介護用手摺と昇降機能を付き床ユニットを階段に取り付けた状況稼動斜視図である。【００４２】  図６の状況斜視図は、床昇降機能付き床ユニット一機稼動し床が一段昇降する稼動工程応用例１の状況斜視図である。【００４３】  図７の状況斜視図は、床昇降機能付き床ユニット二機稼動し床が二段昇降する応��例２の状況斜視図である。【００４４】  上記記述したように、既存の階段を壊す事無く既存の階段に昇降機能付き床ユニット据え付ける事が出来る。【００４５】  図８は、昇降する座椅子両端に介護用手摺を設け、屋内用介添え用歩行補助手押し車斜視図である。【００４６】  図８のように昇降機能付き床ユニット床上部に座椅子を設け、座椅子両端に手押し介護用手摺を取り付けている為に、屋内の狭い場所での昇降する座椅子付き手押し車の方向を変える事無くどの方向にも操作できる。【００４７】  又、昇降する床に設けた座椅子に前後どちらからでも座ることができる。
【図面の簡単な説明】
【００４８】
【図１】昇降機能付き床ユニットを浴槽に用いた昇降機能付き床ユニットの床に連結部材を介し浴槽内床を設けた稼動斜視図。
【図２】昇降機能付き床ユニットを浴槽に用いた部分拡大斜視図。
【図３】昇降機能付き床ユニットを浴槽に用い実施部分斜視図
【図４】本発明の、介護用手摺部分拡大図
【図５】昇降機能付き床ユニットに本発明の介護用手摺を取り付けた斜視図
【図６】昇降機能付き床ユニットを既存の階段に取り付けた状況斜視図応用例１の工程図である。
【図７】昇降機能付き床ユニットを既存の階段に取り付けた状況斜視図応用例２の工程図である。
【図８】昇降機能付き床ユニットに車輪、座椅子を設け、昇降機能付き座椅子手押し歩行補助車とした昇降機能付き床ユニット斜視図。
【符号の説明】
【００４９】１  本発明の介護用手摺
２  調整部材
３  部材
４  スイッチ、センサー
５  連結部材
６  浴槽外部床
７  浴槽内床
【図１】
2006274774.tif 000003
【図２】
2006274774.tif 000004
【図３】
2006274774.tif 000005
【図４】
2006274774.tif 000006
【図５】
2006274774.tif 000007
【図６】
2006274774.tif 000008
【図７】
2006274774.tif 000009
【図８】
2006274774.tif 000010